(57)【特許請求の範囲】
【請求項１】
複数のテープフィーダを並列させて装着するテープフィーダ装着部と、テープフィーダに供給される部品を収納したキャリアテープが巻回されたリールをテープフィーダの下方に装着するリール装着部と、テープフィーダ装着部とリール装着部の水平移動を案内するキャスタ、を備えたテープフィーダ交換用台車であって、
他のテープフィーダ交換用台車と連結するための連結子を回動可能に軸支する連結部を前後に備え、
前記連結子は、所定の長さを有する棒状の部材であって、前記棒状の部材の両端は中空のリング部となっており、
前記テープフィーダ交換用台車の前記連結部には円筒部分が形成されており、前記円筒部分と前記リング部の中空部分を嵌合させて前記テープフィーダ交換用台車との連結を行うことにより、前記連結子は前記連結部に対して水平方向に回動可能に軸支されることを特徴とするテープフィーダ交換用台車。
【請求項２】
両側方に張り出す補助キャスタを備えた請求項１に記載のテープフィーダ交換用台車。
【請求項３】
前後に連結された他の交換台車と接触する可能性がある個所に緩衝部材を備えた請求項１または２に記載のテープフィーダ交換用台車。
【請求項４】
部品が取り出された後にテープフィーダから排出されたキャリアテープを切断するテープ切断装置を備えた請求項１または２に記載のテープフィーダ交換用台車。
【請求項５】
請求項１乃至４の何れかに記載の複数のテープフィーダ交換用台車を前後方向に連結した状態で運搬するテープフィーダ交換用台車の運搬方法。
【請求項６】
前後方向に連結された複数のテープフィーダ交換用台車の最前部に動力車を連結し、動力車を操作することで複数のテープフィーダ交換用台車を運搬する請求項５に記載のテープフィーダ交換用台車の運搬方法。
【発明の詳細な説明】
【技術分野】
【０００１】
本発明は、部品実装装置に対して複数のテープフィーダを一括して交換するためのテープフィーダ交換用台車に関するものである。
【背景技術】
【０００２】
部品実装装置に対して複数のテープフィーダを一括して交換するためのテープフィーダ交換用台車の登場により、テープフィーダの機種切換の際の作業負担や作業時間を大幅に軽減することが可能になり、部品実装における生産性の向上が実現している（特許文献１参照）。
【特許文献１】特開２００４−００６４６９号公報
【発明の開示】
【発明が解決しようとする課題】
【０００３】
近年、複数の部品実装装置で構成される生産ラインをさらに複数設置した生産工場が海外を中心として展開されてきており、テープフィーダの機種切換の際には数十台のテープフィーダ交換用台車が用いられている。このような大規模な生産工場では、テープフィーダにキャリアテープをセットするようなルーティンワークは別に設けられた専用エリアでまとめて行うことが多いため、テープフィーダの機種切換を行う際には、複数のテープフィーダ交換用台車を一斉に運搬し、生産ラインの停止時間をできるだけ短縮することが重要である。
【０００４】
この場合、一人の作業員が一台のテープフィーダ交換用台車を個別に運搬すると、生産ラインと専用エリアの間で複数の動線が行き交い、混乱を招くことになる。
【０００５】
そこで本発明は、整然とした運搬を可能にしたテープフィーダ交換用台車、およびテープフィーダ交換用台車の運搬方法を提供することを目的とする。
【課題を解決するための手段】
【０００６】
請求項１に記載のテープフィーダ交換用台車は、複数のテープフィーダを並列させて装着するテープフィーダ装着部と、テープフィーダに供給される部品を収納したキャリアテープが巻回されたリールをテープフィーダの下方に装着するリール装着部と、テープフィーダ装着部とリール装着部の水平移動を案内するキャスタ、を備えたテープフィーダ交換用台車であって、他のテープフィーダ交換用台車と連結するための連結子を回動可能に軸支する連結部を前後に備え、前記連結子は、所定の長さを有する棒状の部材であって、前記棒状の部材の両端は中空のリング部となっており、前記テープフィーダ交換用台車の前記連結部には円筒部分が形成されており、前記円筒部分と前記リング部の中空部分を嵌合させて前記テープフィーダ交換用台車との連結を行うことにより、前記連結子は前記連結部に対して水平方向に回動可能に軸支される。
【０００７】
請求項２に記載のテープフィーダ交換用台車は、請求項１に記載のテープフィーダ交換用台車であって、両側方に張り出す補助キャスタを備えた。
【０００８】
請求項３に記載のテープフィーダ交換用台車は、請求項１または２に記載のテープフィーダ交換用台車であって、前後に連結された他の交換台車と接触する可能性がある個所に緩衝部材を備えた。
【０００９】
請求項４に記載のテープフィーダ交換用台車は、請求項１または２に記載のテープフィーダ交換用台車であって、部品が取り出された後にテープフィーダから排出されたキャリアテープを切断するテープ切断装置を備えた。
【００１０】
請求項５に記載のテープフィーダ交換用台車の運搬方法は、請求項１乃至４の何れかに
記載の複数のテープフィーダ交換用台車を前後方向に連結した状態で運搬する。
【００１１】
請求項６に記載のテープフィーダ交換用台車の運搬方法は、請求項５に記載のテープフィーダ交換用台車の運搬方法であって、前後方向に連結された複数のテープフィーダ交換用台車の最前部に動力車を連結し、動力車を操作することで複数のテープフィーダ交換用台車を運搬する。
【発明の効果】
【００１２】
本発明によれば、前後方向に連結した複数のテープフィーダ交換用台車をまとめて運搬することができるので、複数の台車が行き交うことなく整然とした作業環境が実現できる。
【発明を実施するための最良の形態】
【００１３】
次に本発明の実施の形態について図面を参照して説明する。図１は本発明の実施の形態のテープフィーダ交換用台車の側面図、図２は本発明の実施の形態のテープフィーダ交換用台車の運搬方法を示す側面図、図３は本発明の実施の形態のテープフィーダ交換用台車の平面図である。
【００１４】
図１に、本発明の実施の形態のフィーダ交換用台車を用いてテープフィーダを部品実装装置に装着した状態を示す。部品実装装置１の基台２には水平面内で一の方向（Ｘ軸方向）に延びる基板搬送路３が設けられており、基板搬送路３の上方には基板搬送路３と水平面内で直交する方向（Ｙ軸方向）に延びるＹ軸テーブル４が設けられている。Ｙ軸テーブル４の上方にはＸ軸テーブル５が設けられており、Ｘ軸テーブル５はＹ軸テーブル４に支持されてＹ軸方向に移動自在となっている。Ｘ軸テーブル５にはＸ軸方向に移動自在な移動ステージ６が設けられており、移動ステージ６には実装ヘッド７が設けられている。実装ヘッド７には鉛直方向（Ｚ軸方向）およびＺ軸まわりに移動および回転自在なノズル８が鉛直下方に向けて設けられている。
【００１５】
基台２の側部には複数のテープフィーダ９がＸ軸方向に並列して設置されている。各テープフィーダ９はリール１０に巻回されたテープ１１を順次引き出しながら間欠送りし、テープ１１に等ピッチで収納された部品Ｐをテープフィーダ９の上部に開口部として設けられたピックアップステージＳに順次供給する。実装ヘッド７は、Ｘ軸テーブル５のＹ軸方向への移動、移動ステージ６のＸ軸方向への移動によってピックアップステージＳの鉛直上方に移動し、部品Ｐをノズル８により真空吸着してピックアップする。ピックアップした部品Ｐを基台２に設けられた部品カメラ１２の上方を通過させ、位置認識および認識結果の基づく位置補正行った後に、基板搬送路３の所定の位置に位置決めされた基板１３に実装する。
【００１６】
各テープフィーダ９は部品実装装置１に対して移動自在なテープフィーダ交換用台車２０に複数まとめて装着されており、一台のテープフィーダ交換用台車２０を操縦することによって複数のテープフィーダ９を部品実装装置１に対して一括して設置及び取り外しできるようになっている。
【００１７】
テープフィーダ交換用台車（以下、単に台車と略称する。）２０は、複数のキャスタ２１に支持された基部２２と、基部２２の上方に延びる支柱２３と支柱２３の上端に水平に設けられたフィーダベース２４と、フィーダベース２４の下方に設けられたリールホルダ２５と、同じくフィーダベース２４の下方に設けられたテープ切断装置２６と、基部２２から所定の高さまで延びるハンドル２７と、基部２２の前後部に床面と接触しない程度に下方に延びる連結部２８を備えている。フィーダベース２４上は、複数のテープフィーダ９を並列させて装着するテープフィーダ装着部となっている。またリールホルダ２５上は
、キャリアテープ１１が巻回された複数のリール１０を供給先のテープフィーダ９の下方に装着するリール装着部となっている。
【００１８】
テープ切断装置２６は、ピックアップステージＳで部品が取り出された後に各テープフィーダ９から排出された空のキャリアテープ１１ａを切断する装置であり、各テープフィーダ９から排出された空テープ１１ａは、ガイド２９により部品実装装置１を経由することなく直接テープ切断装置２６に導かれ、カッタ３０で適当な長さの空テープ１１ｂに切断され、空テープ収納箱３１に収納されるようになっている。これにより、各テープフィーダ９を台車２０から取り外す際に、各テープフィーダ９から延びた状態で排出された空テープ１１ａが邪魔になることがないので、テープフィーダ９の設置及び取り外しに要する作業時間を短縮することができる。
【００１９】
台車２０は、キャスタ２１によって水平方向に移動が案内され、オペレータがハンドル２７を操作することによって個別に運搬することができるが、図２に示すように、連結子３２を用いて台車２０を前後方向に連結することで、複数の台車２０をまとめて運搬することも可能である。台車２０は、テープフィーダ９に加えてテープ切断装置２６を搭載してかなりの重量となるが、連結された複数の台車２０の最前部に自走可能な動力車３３を連結し、動力車３３を一人のオペレータ３４が操作することで、複数の台車２０からなる台車列をまとめて運搬することができる。さらに、動力車３３は、床面に記されたラインを自律してトレースする等の手段により無人化することも可能である。
【００２０】
連結子３２は、図３に示すように所定の長さを有する棒状の部材であって、その両端は中空のリング部３５となっている。台車２０の連結部２８には円筒部分が形成されており、この円筒部分とリング部３５の中空部分を嵌合させることで台車２０の連結を行う。これにより、連結子３２は連結部２８に対して水平方向に回動可能に軸支された状態となるので、コーナー部で方向転換する場合には、前方にある台車２０から順に方向転換することで、円滑な運搬が可能になる。連結子３２は、方向転換の際に前後の台車同士が接触しない程度の長さがあることが望ましいが、台車列の全長が長くなりすぎると円滑な運搬が困難になるため、前後に連結された台車同士が接触する可能性がある箇所、例えば上方からみた台車２０の基部２２の四隅にゴムや樹脂等の緩衝部材３６を設けることで、ある程度の衝突を許容して台車列の全長を短くすることも可能である。
【００２１】
台車２０は重量が嵩むテープフィーダ９が最上位に配置されている関係から重心が高く、方向転換の際に不安定な姿勢になりがちなので、両側方に張り出す補助キャスタ３７を設け、転倒を未然に防止することが望ましい。補助キャスタ３７は常時床面に接触している必要はなく、床面からある程度浮かせておくことが望ましく、台車２０の傾斜時には床面に接触して転倒を防止し、通常の運搬時には床面との間で摩擦抵抗を生じることがない。これにより、コーナー部での台車２０の転倒の危険性が大幅に削減されるので、台車列をある程度の速度で運搬することが可能になり、生産効率の向上に資することができる。
【００２２】
このように、複数の台車２０を前後方向に連結した状態で運搬する方法によって、従来のように一人の作業員が一台の台車２０を個別に運搬した際に複数の動線が行き交うことで生じる混乱を招くことなく整然とした作業が可能になる。また、例えば生産ライン毎に台車を一まとめにして運搬することができるので、他の生産ラインの台車との取り違えるような問題も解消することができる。
【産業上の利用可能性】
【００２３】
本発明によれば、前後方向に連結した複数のテープフィーダ交換用台車をまとめて運搬することができるので、複数の台車が行き交うことなく整然とした作業環境が実現できるという利点があり、複数の部品実装装置を用いる大規模な生産工場におけるテープフィー
ダの交換作業において特に有用である。
【図面の簡単な説明】
【００２４】
【図１】本発明の実施の形態のテープフィーダ交換用台車の側面図
【図２】本発明の実施の形態のテープフィーダ交換用台車の運搬方法を示す側面図
【図３】本発明の実施の形態のテープフィーダ交換用台車の平面図
【符号の説明】
【００２５】
９  テープフィーダ
１０  リール
１１  キャリアテープ
２０  テープフィーダ交換用台車
２１  キャスタ
２４  フィーダベース
２５  リールホルダ
２６  テープ切断装置
２８  連結部
３２  連結子
３３  動力車
３６  緩衝部材
３７  補助キャスタ
【図１】
0004835575.tif 000002
【図２】
0004835575.tif 000003
【図３】
0004835575.tif 000004